(57)【要約】      （修正有）【課題】無線リソースの割り当てを要求する信号又は無線リソースの選択に用いられる信号の送信を抑制する。【解決手段】第１の無線通信装置は、無線リソースの選択に用いられる信号を第２の無線通信装置に送信し、第２の無線通信装置は、第１の無線通信装置から無線リソースの割当を要求する信号を受信すると、その無線リソースの選択に用いられる信号に基づいて、割り当てる無線リソースを所定の周波数帯域内から選択し、選択した無線リソースの情報を第１の無線通信装置に送信し、第１の無線通信装置は、その無線リソースの情報により特定される無線リソースを用いて送信データを送信する、無線通信システムにおける制御方法において、第１の無線通信装置は、第２の無線通信装置から所定の信号を受信した場合に、その割り当てる無線リソースの選択に用いられる信号の送信を規制する制御を行う。【選択図】図６
2014112931.tif 000002
【特許請求の範囲】
【請求項１】
移動局であって、
無線リソースの割当を要求する信号を基地局に送信する送信処理部と、
前記基地局から送信される、割り当てる無線リソースの情報を受信する受信処理部と、
前記基地局から受信した前記無線リソースの情報により特定される無線リソースを用いて送信データを送信する制御を行い、前記基地局から受信した所定の信号から、送信すべきデータ量に見合う無線リソースが確保されなかった旨を取得したときに、前記無線リソースの割当を要求する信号の送信を規制する制御を行う制御部と、
を有する移動局。
【請求項２】
前記制御部は、前記基地局から受信した所定の信号を検出し、検出した所定の信号の内容から、送信すべきデータ量に見合う無線リソースが確保されなかった否かを判定し、確保されなかったと判定したときに、前記無線リソースの割当を要求する信号の送信を規制するように前記送信処理部に与える制御信号の生成を変更する制御を行う、
ことを特徴とする請求項１記載の移動局。
【請求項３】
前記制御部は、前記基地局から受信した信号から、送信すべきデータ量に見合う無線リソースが確保された旨を取得したときに、前記規制する制御を解除する、ことを特徴とする請求項１又は２記載の移動局。
【請求項４】
前記規制は、単一又は複数の時間候補に含まれるいずれかの時間に基づいて決定される期限まで行われる、ことを特徴とする請求項１〜３のうちいずれか記載の移動局。
【請求項５】
前記所定の信号は、前記基地局でランダムアクセス信号又はスケジューリングリクエスト信号のいずれかを受信したことを契機として送信される、ことを特徴とする請求項１〜４のうちいずれか記載の移動局。
【請求項６】
前記無線リソースの割当を要求する信号は、ランダムアクセス信号又はスケジューリングリクエスト信号のいずれかである、ことを特徴とする請求項１〜５のうちいずれか記載の移動局。
【請求項７】
前記所定の信号は、ゼロ割り当て情報および前記規制を行う時間の少なくともいずれかを含む、ことを特徴とする請求項１〜６のうちいずれか記載の移動局。
【請求項８】
前記送信すべきデータを格納するバッファを有し、
前記制御部は、前記移動局のバッファに格納される送信すべきデータの量と、前記基地局から受信した所定の信号から、前記送信すべきデータ量に見合う無線リソースが確保されなかった旨を取得する、ことを特徴とする請求項１〜７のうちいずれか記載の移動局。
【請求項９】
移動局であって、
無線リソースの割当を要求する信号を基地局に送信する送信処理部と、
前記基地局から送信される、割り当てる無線リソースの情報を受信する受信処理部と、
前記基地局から受信した前記無線リソースの情報により特定される無線リソースを用いて送信データを送信する制御を行い、前記基地局から受信した第１の信号から、送信すべきデータ量に見合う無線リソースが確保されなかった旨を取得して、前記無線リソースの割当を要求する信号の送信を規制する制御を行っている場合に、前記基地局から受信した第２の信号から、送信すべきデータ量に見合う無線リソースが確保された旨を取得して、前記規制する制御を解除する制御部と、
を有する移動局。
【請求項１０】
移動局であって、
無線リソースの割当を要求する信号を基地局に送信する送信処理部と、
前記基地局から送信される、割り当てる無線リソースの情報を受信する受信処理部と、
前記基地局から受信した前記無線リソースの情報により特定される無線リソースを用いて送信データを送信する制御を行い、前記基地局から受信した所定の信号から、送信すべきデータ量に見合う無線リソースが確保されなかった旨を取得し、送信すべきデータを送信できないときに、前記無線リソースの割当を要求する信号の送信を規制する制御を行う制御部と、
を有する移動局。
【請求項１１】
前記制御部は、前記基地局から受信した信号から、送信すべきデータ量に見合う無線リソースが確保された旨を取得したときに、前記規制する制御を解除する、
ことを特徴とする請求項１０記載の移動局。
【請求項１２】
無線通信方法であって、
無線リソースの割当を要求する信号を移動局から基地局に送信し、
前記基地局から送信される、割り当てる無線リソースの情報を前記移動局で受信し、
前記基地局から受信した前記無線リソースの情報により特定される無線リソースを用いて、前記移動局から送信データを送信する制御を行い、
前記移動局のバッファに格納される送信すべきデータの量と、前記基地局から受信した所定の信号から、前記送信すべきデータ量に見合う無線リソースが確保されなかった旨を取得したときに、前記無線リソースの割当を要求する信号の送信を規制する制御を行う、無線通信方法。
【請求項１３】
無線通信方法であって、
無線リソースの割当を要求する信号を移動局から基地局に送信し、
前記基地局から送信される、割り当てる無線リソースの情報を前記移動局で受信し、
前記基地局から受信した前記無線リソースの情報により特定される無線リソースを用いて、前記移動局から送信データを送信する制御を行い、
前記移動局のバッファに格納される送信すべきデータの量と、前記基地局から受信した第１の信号から、送信すべきデータ量に見合う無線リソースが確保されなかった旨を取得して、前記無線リソースの割当を要求する信号の送信を規制する制御を行っている場合に、前記基地局から受信した第２の信号から、送信すべきデータ量に見合う無線リソースが確保された旨を取得して、前記規制する制御を解除する、無線通信方法。
【請求項１４】
無線通信方法であって、
無線リソースの割当を要求する信号を移動局から基地局に送信し、
前記基地局から送信される、割り当てる無線リソースの情報を前記移動局で受信し、
前記基地局から受信した前記無線リソースの情報により特定される無線リソースを用いて、前記移動局から送信データを送信する制御を行い、
前記移動局のバッファに格納される送信すべきデータの量と、前記基地局から受信した所定の信号から、送信すべきデータ量に見合う無線リソースが確保されなかった旨を取得し、送信すべきデータを送信できないときに、前記無線リソースの割当を要求する信号の送信を規制する制御を行う、無線通信方法。
【発明の詳細な説明】
【技術分野】
【０００１】
本発明は、無線通信を行う無線通信装置及びその制御方法に関する。本発明は、無線リソースの割り当て要求を送信し、無線リソースの割り当てを受けることでデータの送信を行う無線通信装置を含む移動通信システムに用いるのが好適である。
【背景技術】
【０００２】
無線通信を通信手段として用いる通信方法は種々知られている。
【０００３】
ここでは、無線通信を行う無線通信システムの例として、ＬＴＥ（Long Term Evolution）について説明する。
【０００４】
図１は、無線通信装置の１例としての移動局から、無線通信装置の１例としての基地局に対するデータ送信（上りリンクの送信）についての処理の流れを説明するための図である。
【０００５】
基地局と通信を行う場合には、移動局はまず、他の移動局と共有する送信領域でランダムアクセス信号を送信する。基地局は、ランダムアクセス信号を受信すると、応答信号を移動局に送信して、上りリンクの同期を確立するとともに、無線リソースの割り当てを要求するためのスケジューリング要求信号（ＳＲ：Scheduling Request）及び割り当てを受ける可能性のある所定の周波数帯域において広帯域に送信される（広帯域）パイロット信号（ＳＲＳ：Sounding Reference Signal）を送信するための無線リソースを移動局に割り当てる。尚、既にスケジューリング要求信号を送信する無線リソースを割り当てられている場合は、上記処理を省略してよい。
【０００６】
さて、スケジューリング要求を送信するための無線リソースを割り当てられた移動局において、送信を希望するデータが発生（データ処理部に到着）すると、移動局は、図のように基地局に対してスケジューリング要求信号（ＳＲ）を送信する。基地局は、ＳＲの受信により、この移動局に割り当てる上りリンクの無線リソースを決定（選択）し、選択した無線リソース（周波数等）の情報を移動局に知らせるための無線リソースの割り当て情報（UL allocation grant）を移動局に送信する。従って、移動局は、通知された無線リソースの情報によって特定される上りリソースを用いて、発生（到着）した、送信データの送信を行う。
【０００７】
尚、移動局は、ＳＲＳを送信するための無線リソースも割り当てられているため、その無線リソースを用いてＳＲＳを送信し、基地局は、ＳＲＳの受信状況を観測することで、この移動局に対して割り当てるべき無線リソースは何れの周波数部分が好適が分かるため、最も受信品質が良い周波数部分等に対応する無線リソースをこの移動局に割り当てるようにする。
【０００８】
さて、移動局から上りデータが送信されると、基地局は、その受信結果情報（ＡＣＫ／ＮＡＣＫ）を送信する。ここで、ＡＣＫは、データを正常に（誤りなく）受信できたことを示し、ＮＡＣＫは、データを正常に（誤りなく）受信できなかったこと（誤りがあったこと）を示す。
【０００９】
ＮＡＣＫを送信する場合は、再送のための上りリンクの無線リソースを改めて移動局に割り当てることができるし、ＡＣＫを送信する場合は、次の新規送信のための上りリンクの無線リソースを移動局に割り当てることもできる。
【００１０】
従って、移動局は、ＡＣＫを受信すると、新規データを割り当てられた無線リソースを用いて送信し、ＮＡＣＫを受信すると、再送データを割り当てられた無線リソースを用いて送信する。
【００１１】
また、上りデータを送信する際に、下りデータ受信についての受信結果情報（ＡＣＫ／ＮＡＣＫ）を、上りデータに多重して送信することもできるし、上りデータと別個に送信することもできる。
【００１２】
例えば、上りデータがない場合は、上りの制御チャネル（PUCCH：Physical Uplink Control Channel）で、受信結果情報を送信すればよく、上りデータがある場合は、無線リソースの割り当て情報（UL allocation grant）で割り当てられた、無線リソースを用いて、データと受信結果情報とを時間多重して送信すればよい。
【００１３】
以上が、上りリンクの送信についての説明であるが、以下、下りリンクの送信について図２を用いて説明する。
【００１４】
図２は、基地局から移動局に対するデータ送信（下りリンクの送信）についての処理の流れを説明するための図である。
【００１５】
図のように、基地局は、送信すべき下りデータがあると、まず、その宛先である移動局に対して下りデータを送信するための無線リソース及び伝送フォーマットの情報（変調法式、符号化レート等）を含む制御信号（下りスケジューリング情報）を下り制御チャネル（PDCCH: Physical Downlink Control Channel）で送信する。下り制御チャネルは複数存在するが、移動局は、各制御チャネルを受信し、自局宛の制御信号があるかどうかを判定する。例えば、移動局のＩＤ情報が含まれるかどうかによって判定を行う。自局宛の制御情報を検出すると、その制御信号に含まれる無線リソースの割り当て情報及び伝送フォーマット情報に基づいて、下りデータチャネル（PDSHC: Physical Downlink Shared Channel）を受信し、下りデータを取得する。
【００１６】
そして、下りデータが正しく復号できた場合は、ＡＣＫ信号、正しく復号できなかった場合は、ＮＡＣＫ信号を基地局に送信する。基地局は、ＡＣＫ信号を受信すると、次は新規データを送信し、ＮＡＣＫ信号を受信すると、次は再送データを送信する。
【００１７】
尚、移動局は、下りチャネルの伝送品質も観測しているため、観測結果をチャネル品質情報（CQI: Channel Quality Indicator）として基地局に送信する。
【００１８】
基地局は、CQIを受信すると、移動局において受信品質が良好となるように、無線リソースの選択、伝送フォーマットの選択等を行う。
【００１９】
上記ＬＴＥに関する技術は、非特許文献１、２に詳しく説明されている。
【先行技術文献】
【非特許文献】
【００２０】
【非特許文献１】３ＧＰＰ  ＴＳ３６．３００
【非特許文献２】３ＧＰＰ  ＴＳ３６．２１１
【発明の概要】
【発明が解決しようとする課題】
【００２１】
上述した上りリンクのデータ送信のように、一方の無線通信装置が、他方の無線通信装置に対してデータを送信するための無線リソースの割り当てを要求し、他方の無線通信装置がこれに応答して、無線リソースを割り当てる手順を踏む事で円滑な送信制御を行うことができる。
【００２２】
しかし、無線リソースの割り当て要求を受信したものの、割り当てるべき無線リソースがない場合もあり得る。しかも、そのような期間が継続することもありえる。
【００２３】
このような場合、一方の無線通信装置は、無線リソースの割り当てを要求する信号を送信しても、無線リソースを割り当てられない（基地局から応答のないサイレント状態となる）ため、再び無線リソースの割り当てを要求する信号を送信してしまい、トラフィックを無駄に圧迫したり、移動局の電池の消耗、無駄に干渉増大を招いてしまったりする。
【００２４】
先に説明したＬＴＥにおいてもこのような事態が発生し得る。
【００２５】
図３はＬＴＥにおける上りリンクのリソース割り当てとデータ送信の流れを示す。この例では、移動局はＳＲＳを定期的に送信し、上りデータパケットの発生（到着）によりＳＲを送信しているが、基地局は無線リソースを割り当てられず、サイレント状態となっている。従って、移動局は、ＳＲＳの周期送信を繰返すとともに、ＳＲを繰返し送信し、やっと、３つ目のＳＲが基地局において受信される。そして、基地局は、バッファ状態報告（BSR: Buffer Status Report）信号を送信するための上り無線リソースを移動局に割り当てている。
【００２６】
基地局は、ＢＳＲによって示されるデータ量に応じて、上りデータ送信用として割り当てる上り無線リソースの周波数帯域の幅を調整し、割り当てた無線リソースを移動局に通知し、移動局は、割り当てられた無線リソースを用いてデータを送信している。
【００２７】
このように、ＬＴＥでも、無線リソースを割り当てられないため、再び無線リソースの割り当てを要求する信号を送信してしまうことが発生することは明らかである。
【００２８】
特に無線リソースの割り当て容量の小さい、フェムトセルに対応する基地局等においては、このような問題はより顕著に現われるであろう。
【００２９】
そこで、本発明は、無線リソースの割り当てを要求する信号の送信を抑制可能とすることを目的とする。
【００３０】
また、本発明は、無線リソースの選択に用いられる信号の送信を抑制可能とすることを目的とする。
【課題を解決するための手段】
【００３１】
本発明では、移動局であって、無線リソースの割当を要求する信号を基地局に送信する送信処理部と、前記基地局から送信される、割り当てる無線リソースの情報を受信する受信処理部と、前記基地局から受信した前記無線リソースの情報により特定される無線リソースを用いて送信データを送信する制御を行い、前記基地局から受信した所定の信号から、送信すべきデータ量に見合う無線リソースが確保されなかった旨を取得したときに、前記無線リソースの割当を要求する信号の送信を規制する制御を行う制御部と、を有する移動局を用いる。
【００３２】
また、本発明では、移動局であって、無線リソースの割当を要求する信号を基地局に送信する送信処理部と、前記基地局から送信される、割り当てる無線リソースの情報を受信する受信処理部と、前記基地局から受信した前記無線リソースの情報により特定される無線リソースを用いて送信データを送信する制御を行い、前記基地局から受信した第１の信号から、送信すべきデータ量に見合う無線リソースが確保されなかった旨を取得して、前記無線リソースの割当を要求する信号の送信を規制する制御を行っている場合に、前記基地局から受信した第２の信号から、送信すべきデータ量に見合う無線リソースが確保された旨を取得して、前記規制する制御を解除する制御部と、を有する移動局を用いる。
【００３３】
また、本発明では、移動局であって、無線リソースの割当を要求する信号を基地局に送信する送信処理部と、前記基地局から送信される、割り当てる無線リソースの情報を受信する受信処理部と、前記基地局から受信した前記無線リソースの情報により特定される無線リソースを用いて送信データを送信する制御を行い、前記基地局から受信した所定の信号から、送信すべきデータ量に見合う無線リソースが確保されなかった旨を取得し、送信すべきデータを送信できないときに、前記無線リソースの割当を要求する信号の送信を規制する制御を行う制御部と、を有する移動局を用いる。
【発明の効果】
【００３４】
本発明によれば、無線リソースの割り当てを要求する信号の送信を抑制することができる。
【００３５】
また、本発明は、無線リソースの選択に用いられる信号の送信を抑制することができる。
【図面の簡単な説明】
【００３６】
【図１】移動局から基地局に対するデータ送信についての処理の流れを示す。
【図２】基地局から移動局に対するデータ送信についての処理の流れを示す。
【図３】上りリンクのリソース割り当てとデータ送信の流れを示す。
【図４】基地局１の構成を示す。
【図５】移動局２の構成を示す。
【図６】上りリンクのリソース割り当て及びデータ送信の流れ（その１）を示す。
【図７】上りリンクの送信に用いられるフレームの構成例（送信データ無しの場合）を示す。
【図８】下りリンクの送信に用いられるフレームの構成例（その１）を示す。
【図９】上りリンクの送信に用いられる無線フレームの構成例（送信データ有りの場合）を示す。
【図１０】上りリンクのリソース割り当て及びデータ送信の流れ（その２）を示す。
【図１１】上りリンクのリソース割り当て及びデータ送信の流れ（その３）を示す。
【図１２】上りリンクのリソース割り当て及びデータ送信の流れ（その４）を示す。
【図１３】上りリンクのリソース割り当て及びデータ送信の流れ（その５）を示す。
【図１４】下りリンクの送信に用いられるフレームの構成例（その２）を示す。
【図１５】上りリンクのリソース割り当て及びデータ送信の流れ（その６）を示す。
【発明を実施するための形態】
【００３７】
以下、本発明を実施するための形態について説明する。
【００３８】
この実施例では、第１の無線通信装置は、無線リソースの割当を要求する信号を第２の無線通信装置に送信し、第２の無線通信装置は、第１の無線通信装置から無線リソースの割当を要求する信号を受信すると、割り当てる無線リソースを選択し、選択した無線リソースの情報を第１の無線通信装置に送信し、第１の無線通信装置は、無線リソースの情報により特定される無線リソースを用いて送信データを送信する、無線通信システムにおける制御方法において、第２の無線通信装置は、無線リソースの割り当て状況に応じて所定の信号を送信し、第１の無線通信装置は、第２の無線通信装置から所定の信号を受信した場合に、無線リソースの割当を要求する信号の送信を規制する制御を行うこととする。
【００３９】
従って、この所定の信号の送信により、無線リソースの割り当てを要求する信号の送信を規制することができる。ひいては、トラフィックの圧迫等を回避することができる。
【００４０】
以下、無線リソースの割り当て要求に応じて、無線リソースを割り当てて、データの送信を可能とする無線通信システムの１例として先に説明したＬＴＥをとりあげて説明する。もちろん、他の無線通信システムにも、所定の信号を送信する機能を含めれば同様の処理を実行することができる。他のシステムに適用する場合には、それにあわせて、送信処理部、受信処理部の処理方式を変更すればよい。
【００４１】
尚、LTEでは、上りは、SC-FDMA（Single Carrier Frequency Division Multiple Access）、下りは、OFDMA（Orthogonal Frequency Division Multiple Access）を用いて無線信号の送受信を行うため、それにあわせた構成とする。
【００４２】
・「無線通信装置（基地局１）の構成」
図４は、無線通信装置の例として基地局１の構成を示す。
【００４３】
図において、１０は各部の制御を行う制御部を示し、２０〜２６の受信処理部によって無線通信装置の例としての移動局２から受信した情報（制御情報等）を取得し、また、制御信号（報知情報、個別制御情報）を生成して、１４〜１８の送信処理部に与えることで、移動局２に対する送信を実行する。生成される制御信号の代表的な例としては、所定の信号（例えば、ゼロ割り当て情報、バックオフ時間）、選択した無線リソースの割り当て情報（UL allocation Grant）、受信結果情報（ACK/NACK）等が挙げられる。
【００４４】
１１は、データ処理部を示し、接続された移動網の上位側から与えられた、移動局２を含む複数の移動局宛てのデータをスケジューラ１２に与える。１２は、スケジューラを示し、各移動局に対するデータを送信する順序を制御し、送信スケジュールを決定し、決定したスケジュールに従って、各移動局宛のデータが送信されるように、多重部１３に送信データを与える。尚、送信データは予め誤り訂正符号化（ターボ符号化等）されることが好ましい。
【００４５】
スケジューリングは、移動局から報告されるCQI情報や、QOS等の種々のパラメータを用いて実行することができる。
【００４６】
１３は多重部を示し、制御部１０が生成した、制御情報（後述する所定の信号を含む）と、データとを多重して、シンボルマッピング部１４へ与える。
【００４７】
１４はシンボルマッピング部を示し、データ、制御信号を所定の信号点にマッピングする。多重部１５は、マッピング処理が施された信号と、移動局２がCQIの測定等に用いるパイロット信号とを多重して、複数のサブキャリアに対応する信号として、IFFT処理部１６に与える。
【００４８】
IFFT（Inverse Fast Fourier Transformation）処理部１６は、各サブキャリアに対応する信号について、周波数領域から時間領域への変換処理を施して送信信号を出力する。
【００４９】
CP（Cyclic Prefix）挿入部１７は、送信信号についてシンボルの後部の一部をシンボル先頭部分にコピーして、いわゆるガードインターンバル（GI：Guard Interval）を形成して無線処理部１８に与える。
【００５０】
１８は無線処理部を示し、無線送信に必要な周波数変換処理（アップコンバート）、増幅処理等を施して、送受共用器としてのＤＵＰ１９を介してアンテナから無線信号を送信する。尚、アンテナを複数設け、Multi Input Multi Outputに対応させてもよいし、重み付け制御によりビーム方向を調整するアレーアンテナに対応させてもよい。
【００５１】
一方、アンテナから受信した信号は、無線処理部２０に与えられる。
【００５２】
２０は無線処理部を示し、受信した信号について不要波除去、増幅処理等を施して、CP削除部２１に宛てる。
【００５３】
２１は、CP削除部を示し、移動局２によって付加されたCPを除去してFFT処理部２２に与える、FFT（Fast Fourier Transformation）処理部２２は、受信した時間領域の信号を周波数領域の信号に変換し、等化処理部（イコライザ）２３により、イコライジング処理を施すことで、歪みを補正し、IFFT処理部に与える。
【００５４】
２４は、IFFT処理部を示し、周波数領域の信号を再度時間領域の信号に変換し、復調部２５に与える。
【００５５】
２５は、復調部を示し、受信信号を復調して復号部に与え、復号部２６は、復調された信号に対して復号処理（例えば、ターボ復号等の誤り訂正復号処理）を施して、復号結果を出力する。尚、データは、移動網側に転送され、制御信号は、制御部１０に与えられる。制御部１０に与えられる代表的な制御信号の例としては、無線リソースの割り当てを要求する信号（例えば、SR）、無線リソースの割り当てに用いられる信号（例えば、SRS、BSR）、受信結果情報（ACK/NACK）、受信品質情報(CQI)等が挙げられる。
【００５６】
２７は、チャネル品質測定部を示し、無線処理部２０で受信した受信信号について受信品質を測定し、スケジューラ１２に測定結果を与える。
【００５７】
次に、図５を用いて、無線通信装置の例として移動局２の構成について説明する。
【００５８】
・「無線通信装置（移動局２）の構成」
図５は、無線通信装置の例としての移動局２の構成を示す。
【００５９】
図において、３０は各部の制御を行う制御部を示し、４１〜４５の受信処理部によって無線通信装置の例としての基地局１から受信した情報（制御情報等）を取得し、また、制御信号（個別制御情報）を生成して、３３〜３８の送信処理部に与えることで、基地局１に対する制御信号の送信を実行する。生成される制御信号の代表的な例としては、無線リソースの割り当てを要求する信号（例えば、SR）、無線リソースの割り当てに用いられる信号（例えば、BSR）、受信結果情報（ACK/NACK）、受信品質情報(CQI)等が挙げられる。尚、制御信号に対して誤り訂正符号化処理を施しておくこともできる。
【００６０】
３１は、データ処理部を示し、不図示の入力部から入力された情報又は装置内部で発生したデータ等を多重部３２に与える。尚、データは、ターボ符号化等の誤り訂正符号化処理が施されていることが好ましい。
【００６１】
３２は、多重部を示し、制御部３０から与えられた制御信号とデータ処理部からのデータを多重してシンボルマッピング部３３に与える。
【００６２】
３３はシンボルマッピング部を示し、データ、制御信号を所定の信号点にマッピングする。多重部３４は、マッピング処理が施された信号と、SRS（制御信号の一種と解することができる）等のパイロット信号とを多重し、FFT処理部３５に与える。
【００６３】
３５は、FFT処理部を示し、入力された信号について、時間領域の信号から周波数領域の信号に変換し周波数マッピング部３６へその出力を与える。
【００６４】
３６は、周波数マッピング部を示し、基地局１に割り当てられた所定の無線リソース（周波数帯）に配置されるように周波数マッピングを行う。
【００６５】
３７は、IFFT処理部を示し、周波数マッピングされた信号を時間領域の信号に変換して、CP挿入部３８に与え、CP挿入部３８は、基地局１同様に、CPを挿入して無線処理部３９に送信信号を与える。
【００６６】
３９は、無線処理部を示し、与えられた送信信号について必要なアップコンバート、増幅処理等を施して、送受共用器としてのＤＵＰ４０を介してアンテナから無線信号として送信する。
【００６７】
このようにして、移動局２は、SC-FDMA方式に対応した無線信号を送信する。
【００６８】
一方、アンテナで受信した基地局１からの受信信号は、ＤＵＰ４０を介して無線処理部４１に与えられる。
【００６９】
４１は、不要波の除去、必要な増幅処理等を受信信号に施してからCP削除部４２に受信信号を与える。
【００７０】
４２は、CP削除部を示し、受信信号におけるCPを削除し、FFT処理部４３に与える。
【００７１】
４３はFFT処理部を示し、CPの除去された受信信号を周波数領域の信号に変換して出力
する。
【００７２】
４４は、復調部を示し、FFT処理部４３からの各サブキャリアに対応する信号について
復調処理を行って、復調信号を復号部４５に与える。
【００７３】
復号部４５は、ターボ符号化等の誤り訂正復号化処理を復調信号に施して、データを不不図示の出力部に与えたり、データ処理部３１に与える。
【００７４】
一方、制御信号は、復号部４５から制御部３０に与えられる。
【００７５】
ここで、制御信号の代表的な例としては、所定の信号（例えば、ゼロ割り当て情報、バックオフ時間）、選択した無線リソースの割り当て情報（UL(Up-link) allocation Grant）、受信結果情報（ACK/NACK）等が挙げられる。
【００７６】
次に、図６を用いて、基地局１、移動局２との間で実行される無線通信について説明する。
【００７７】
・「処理の流れ（その１）」
図６は、上りリンクのリソース割り当て及びデータの送信の流れ（その１）を示す。
【００７８】
この例では、移動局２は、基地局１に対して上りの制御信号を送信可能な状態であると
する。例えば、移動局２は、ランダムアクセス信号の送信により基地局１との間で上りリンクの同期を確立し、基地局２によって、指定された上りチャネルを用いて各種制御信号を送信可能な状態であるとする。
【００７９】
さて、移動局２は、上りチャネルを介してSRS信号を送信する。SRS信号は、基地局２において上りリンクの無線リソースを割り当てる際に利用される信号である。例えば、SRSは、基地局２が割り当てる可能性のある所定の帯域（B：帯域幅＝BW1）の中で、複数の周波数を用いて送信される既知のパイロット信号とすることができる。この信号がその所定の帯域B内において広帯域に広がるほど、基地局２において無線リソースの選択において役に立つ。
【００８０】
この例では、移動局２は、所定の周期で定期的にSRSを送信するようにしているが、SRと同時（同時期）に制限して送信することもできるし、また、SRに対応して送信されるが、SRに対して時間的に先行して送信することもできる。
【００８１】
さて、移動局２は、SRSを図のように周期的に送信するが、上りパケットデータがデータ処理部３１において発生した（到着した）場合には、制御部３０は、SRを生成し、多重部３２に与えることにより基地局１に対してSRを送信させる。
【００８２】
図７は、上りリンクの送信に用いられるフレームの構成例を示す。
【００８３】
例えば、１０ｍｓの長さを持つ無線フレームを１無線フレームとし、１無線フレームを２０個の０．５ｍｓのスロットに分割し、２スロットで１サブフレームを構成するようにする。
【００８４】
PUCCHｉとPUCCHｊは、それぞれ、２つの上り制御チャネルを示し、１ｍｓサブフレームの真ん中であるスロットの境界でそれぞれ周波数ホップが生じている。
【００８５】
移動局２は、基地局１から、PUCCHｉ、PUCCHｊのいずれかを上り制御チャネルとして割り当てられる。
【００８６】
例えば、移動局２が、PUCCHｊを割り当てられている場合は、そのPUCCHｊを用いてSRの送信を行う。SRは、移動局２が上りデータの送信用の無線リソースの割り当てを要求する信号を含む。
【００８７】
尚、SRSは、例えば、図のAで示した点線枠（例えば無線サブフレームの先頭から１シンボル分）に含まれる部分の無線リソースを用いて送信することができる。その際、所定の周波数帯域全体に渡ってSRS信号を送信されることもできるが、所定の規則に従って複数の周波数に分割させて送信することもできる。PUCCHの送信に用いる周波数を除外して送信することもできる。
【００８８】
SRSをPUCCHと同時に送信する場合には、前半スロットのPUCCHの開始タイミングを後にずらすることで、前半スロットのPUCCHの長さを短くすることもできるし、重複部分のデータを送信しないようにすることもできる。
【００８９】
さて、基地局１の受信処理部は、移動局２から送信されたSRを受信し、必要に応じて復号化処理を施して、制御部１０にSRに含まれるデータを与える。SRSを基地局１が受信した場合は、チャネル品質を測定するチャネル品質測定部２７が、所定の周波数帯域の中で、相対的に受信が良好な周波数帯域がどこであるかを特定し、スケジューラ１２に通知する。
【００９０】
ＳＲの受信により、制御部１０は、移動局２が、上りリンクの無線リソースの割り当てを要求していることを認識し、無線リソースの割り当て処理を実行する。
【００９１】
しかし、この場合、制御部１０は、上りリンクの無線リソースを既に他の移動局に全て割り当ててしまっている場合等、無線リソースの割り当て状況が、この移動局２に対して無線リソースを割り当てることが困難であることを示していると、所定の信号を生成して、多重部１３に与え、移動局２に対して送信させる。
【００９２】
所定の信号は、移動局２が、この所定の信号を検出することにより、所定の動作を実行可能な信号である。
【００９３】
ここでは、無線リソースの割り当てが行えないこと（ゼロ無線リソースを割り当てる旨）を所定の信号の内容とする。
【００９４】
図８は、下りリンクの送信に用いられるフレームの構成例を示す。
【００９５】
上りリンクと同様に、0.5ｍｓの２つのスロットにより１ｍｓのサブレームを構成している。前半スロットの先頭部分には、点線Ｂで囲んで示した制御チャネル（例えば、PDCCH）の送信領域が設けられる。ここでは、５つの制御チャネルｉ、ｊ、ｋ、ｌ、ｍが示されている。図では、周波数上固まった領域に制御チャネルを形成しているが、所定の規則でそれぞれ重複しないように分散させることもできる。各制御チャネルに、移動局２のＩＤ（Identification）情報を含めることができる。例えば、制御信号に移動局２のＩＤを含めておいたり、制御信号にＩＤを乗算しておくこと等ができる。
【００９６】
制御チャネルは、メッセージを含めることができるだけの容量があれば、所定の信号（例えば、無線リソースを割り当てることができない旨知らせる信号）を制御チャネル内で送信することができる。また、制御チャネルは、点線Ｃで囲んで示した共有データチャネル（例えば、PDSCH）のうち、対応するデータチャネル（ｉ、ｊ、ｋ、l、ｍのいずれか）を指定する情報を含む。
【００９７】
例えば、制御チャネルｉは、データチャネルｉの送信に用いられる周波数情報、伝送パラメータ（変調方式、符号化レート等）を含むことで、移動局２が、制御チャネルｉの受信により、データチャネルｉで送信されるデータを受信することを可能とする。
【００９８】
従って、例えば、基地局２は、移動局２に対して所定の信号を送信する際に、データチャネルｉを用いる場合には、移動局２のＩＤ及び所定の信号を含む制御信号を制御チャネルｉで送信するとともに、データチャネルｉを特定可能な情報（周波数情報等）を制御チャネルｉで送信する。
【００９９】
尚、図では、制御チャネルと、データチャネルの配置順を合わせているが、順番をそろえないこともできる。
【０１００】
さて、基地局１から所定の信号が送信されると、移動局２はこの所定の信号を受信処理部で受信し、制御部３０に受信した所定の信号を与える。
【０１０１】
制御部３０は、基地局１から所定の信号を受信したことを検出したため、所定の動作を実行する。
【０１０２】
即ち、無線リソースの割り当てを要求する（ＳＲ）信号の送信を規制する。
【０１０３】
通常であれば、無線リソースの割り当て要求であるＳＲを送信したにもかかわらず、基地局１から無線リソースの割り当てを受けなかったため、再度ＳＲを送信する制御を繰返し実行することとなるが、所定の信号の受信により、ＳＲの送信を規制するのである。
【０１０４】
また、ＳＲＳは、ＳＲとは異なる目的で使用される別個の信号であるが、移動局２の制御部３０は、所定の信号を受信すると、ＳＲＳの送信を規制する。従って、基地局１はＳＲＳを受信し、観測、分析をしなくてもよい。
【０１０５】
この例では、所定の周期で送信していたＳＲＳの送信を規制する。図では、所定の信号を受信する際に既に２つ目のＳＲＳを送信してしまっているので、制御部３０は、その後ＳＲＳの送信を規制することとなる。
【０１０６】
以上のように、ＳＲの無駄な送信を抑制することも可能となり、また、ＳＲＳは、基地局１が、移動局２に対して所定の周波数帯域（ＢＷ（幅＝ＢＷ１））のうち、移動局２に割り当てる周波数を選択するために用いられる、ＳＲとは異なる目的の信号であるが、この所定の信号の送信により、ＳＲＳの送信を抑制することもできる。
【０１０７】
さて、所定の信号の送信により、移動局２において規制制御が実行されることとなるが、この実施例では、更に、規制の解除を行う仕組みを導入することとする。
【０１０８】
・「規制の解除」
移動局２の制御部３０は、所定の信号を受信することでＳＲの送信を規制したり、ＳＲＳの送信を規制する規制制御を実行するが、内部タイマを用いた計時により規制を解除することもできる。例えば、所定の信号を受信すると、所定時間Ｔをタイマにセットし、タイマから時間Ｔの経過の通知を受けると、規制を解除し、ＳＲや、ＳＲＳの送信の規制を解除する。好ましくは、ＳＲＳの送信規制の解除をＳＲより先行して行う。ＳＲと同時期（同時）に解除することもできる。基地局１が、ＳＲに応じて無線リソースの割り当てを行う際に、ＳＲＳをＳＲと同時又は先行して受信していれば、無線品質の状況を反映させた割り当てが実行できるからである。尚、無線リソースの割り当てを行う時に対して、より近い時間にＳＲＳが基地局１に受信されるようにすると、基地局１は、より最新の無線品質の状況を割り当てに反映させることができるので好ましい。
【０１０９】
Ｔは、単一の値としたが、異なる複数の所定時間候補Ｔ０〜ＴＮ（Ｎは、２以上の値）の中から選択した１つを所定の時間としてタイマにセットしてもよい。選択アルゴリズムは種々考えられるが、移動局間で分散するように、移動局は、それぞれ乱数を発生させ、乱数をＮ＋１で割った余りｉに対応するＴｉ（ｉは０以上、Ｎ以下）を所定時間としてタイマにセットしてもよい。
【０１１０】
また、所定の時刻が訪れることで規制を解除することもできる。例えば、各無線フレームに番号を付与しておき、所定の無線フレームが到来したら、制御部３０は規制を解除することもでる。
【０１１１】
また、基地局１から規制を解除すべきタイミング情報を制御部３０が取得し、そのタイミング情報に従って規制を解除することもできる。
【０１１２】
例えば、基地局１の制御部１０は、バックオフ時間を含む所定の信号を生成し、送信処理部に送信させる（制御チャネル（PDCCH）又はデータチャネル(PDSCH)で送信）。
【０１１３】
そして、移動局２の制御部３０は、バックオフ時間を抽出し、バックオフ時間（Ｔｂ）で規定される時間に渡って規制を実行し、その後規制を解除する。
【０１１４】
例えば、図６のように、ＳＲの送信タイミングを起算タイミングとし、Ｔｂで指定された時間規制を行う。起算タイミングは、所定の信号の受信時等、他のタイミングとすることもできる。
【０１１５】
規制の解除条件が満たされたことを検出した移動局２は、送信すべき上りデータパケットが依然として残っているため、無線リソースの割り当てを再度要求するために、ＳＲの送信を実行する。
【０１１６】
この例では、ＳＲＳがＳＲに先行して移動局２から送信される。
【０１１７】
基地局１の制御部１０は、ＳＲを受信すると、規制時間の経過により、無線リソースの割り当てを行える状況になったかどうか確認し、無線リソースの割り当てが可能であると検出すると、データ送信の割り当てにどれほどの帯域が必要であるかを判断すべく、バッファ状態報告（ＢＳＲ）信号の送信用の無線リソースを割り当てる信号を生成し、送信処理部に送信させる。このとき、ＳＲＳを移動局２から受信しているため、割り当てる無線リソースの周波数は、ＳＲＳで良好な受信品質を示す周波数部分とすることもできる。
【０１１８】
移動局２は、送信すべきデータを格納するバッファ部を兼ねるデータ処理部３１におけるバッファ量を求め、割り当てられた無線リソースを用いて基地局１にバッファ量のレポート（ＢＳＲの送信）を行う。
【０１１９】
基地局１の制御部１０は、ＢＳＲ、ＳＲＳ（最新のＳＲＳ又は積算したＳＲＳ）を用いて、必要とされる周波数帯域幅、周波数部分を選択し、データ送信用の無線リソースの情報として移動局２に送信する。
【０１２０】
従って、移動局２は、選択された無線リソースの情報に従って、データの送信を実行する。
【０１２１】
図９は、上りリンクの送信に用いられる無線フレームの構成（送信データ有りの場合）を示す。
【０１２２】
図７に示したように、２つのスロットを含む無線サブフレームを使用し、図のように基地局１に指定された無線リソース（PUSCH）で、データを送信する。尚、移動局２は、基地局１から下りデータの受信を行っている場合は、データ部分に時間多重して受信結果（ＡＣＫ/ＮＡＣＫ）や、ＣＱＩを送信することもできる。尚、無線リソースの情報は、DATA等の送信用の無線リソース（周波数等）を指し示す。
【０１２３】
上述した例では、ＳＲＳの送信規制の解除をＳＲに先行して行っているが、ＢＳＲの送信と同時期又はＢＳＲの送信に対して先行してＳＲＳの送信規制を解除することもできる。ＢＳＲの送信のための無線リソースの選択に利用することは困難であるかもしれないが、データ送信のための無線リソース選択には利用され得るからである。
【０１２４】
また、ＳＲやＢＳＲとＳＲＳを別個に送信していたが、同時に送信することもできる。
【０１２５】
尚、ＳＲを送信したにも関わらず、基地局１から所定の信号が送信されなかった場合（サイレントの場合）は、移動局２は、ＳＲ等の送信を規制せず、再度ＳＲの送信を行えばよい。
【０１２６】
また、ＳＲ送信後、ＢＳＲを送信してから、データが送信されたが、ＳＲに対して割り当てられた無線リソースを用いて、データの送信を行ってしまうこともできる。例えば、ＢＳＲを送信するステップを省略するか、データとBSRとを多重して送信するのである。
【０１２７】
・「処理の流れ（その２）」
図１０は、上りリンクのリソース割り当て及びデータ送信の流れ（その２）を示す。
【０１２８】
図６では、基地局１は、ＳＲの受信に応じて所定の信号を送信していたが、ここでは、ＢＳＲの受信に応じて所定の信号を送信する。他の処理は、基本的にデータ送信の流れ（その１）と同様にすることができる。
【０１２９】
即ち、基地局１の制御部１０は、移動局２から最初のＳＲを受信すると、ＢＳＲの送信用の無線リソースの割り当てが可能であるか判定し、可能であると判断すると、ＢＳＲ送信用の無線リソースを移動局２に割り当て、割り当てた無線リソースの情報を図８の制御チャネル(PDCCH)又はデータチャネル(PDSCH)を介して送信する。
【０１３０】
移動局２の制御部３０は、割り当てられた無線リソースの情報を検出し、その無線リソースを用いてＢＳＲを送信するが、基地局１の制御部１０は、そのＢＳＲに応じた帯域を確保することが困難と判断する。ＳＲの受信から状況が変わったケース又は移動局２が送信したＢＳＲが、送信すべきデータ量が多いことを示し、そのデータ量に見合う帯域の確保が難しいケース又は送信すべきデータ量が少ないため他の移動局を優先すべく、しばらく送信を待機させるケース等がある。
【０１３１】
いずれにしても、この場合、基地局１は、データ送信用の無線リソースをこの移動局２に割り当てることは困難として所定の信号を送信する。所定の信号は先に示した所定の信号とすることができる。
【０１３２】
そして、移動局２の制御部３０は、所定の信号の受信により、先に示した規制制御を行い、先に示した解除により、同様の処理を行う。
【０１３３】
・「処理の流れ（その３）」
図１１は、上りリンクのリソース割り当て及びデータ送信の流れ（その３）を示す。
【０１３４】
図６では、移動局２は、データの送信を行っていなかったが、この例では、移動局２は既にデータの送信を行っているものとする。また、データにＢＳＲを多重することで、バッファ状態を適宜基地局１に報告しているものとする。他の処理は、基本的にデータ送信の流れ（その１）と同様にすることができる。
【０１３５】
さて、移動局２は、周期的にＳＲＳを送信するとともに、データにＢＳＲを多重し、基地局１に割り当てられた無線リソースを用いて、多重データの送信を行う。
【０１３６】
即ち、図９に示すフレームにおいて、ＤＡＴＡで示した領域にＢＳＲを多重するか、又は、ＡＣＫ/ＮＡＣＫ等と示した領域にＢＳＲを格納して送信する。
【０１３７】
基地局１の制御部１０は、受信したデータについて復号部２６で復号させ、その復号結果についてＣＲＣチェックビット等を用いた誤り検出処理を施して、受信が成功したかどうか判断する。受信が成功の場合は、ＡＣＫ信号を生成し、多重部１３に与え、失敗の場合は、ＮＡＣＫ信号を生成し、多重部１３に与える。
【０１３８】
また、ＡＣＫ/ＮＡＣＫに応じて新規データ又は再送データを移動局２に送信させるための無線リソースを選択し、受信結果（ＡＣＫ／ＮＡＣＫ）とともに、図８の制御チャネル(PDCCH)又はデータチャネル（PDSCH）を介して送信する。
【０１３９】
無線リソースの選択は、ＳＲＳにより良好な周波数部分を特定するとともに、ＢＳＲにより必要な大きさの無線リソースとなるように帯域幅を調整することで行う。
【０１４０】
さて、受信結果及び無線リソースの更なる割り当てを受けた移動局２は、再度、ＢＳＲと対応するデータを送信する。
【０１４１】
しかし、今回は、基地局１は、先に説明した諸事情により、移動局２に対して無線リソースを割り当てられないと判断し、所定の信号を送信する。
【０１４２】
所定の信号を受信した移動局２の制御部３０は、ＳＲ、ＢＳＲ、ＳＲＳの送信を規制する。
【０１４３】
規制の解除は先に説明したいずれかの手法を用いることができ、この例では、ＳＲＳの送信がＳＲに対して先行して送信されている。
【０１４４】
規制解除後は、ＳＲの送信、ＢＳＲ送信用無線リソースの割り当て、ＢＳＲの送信、データ送信用無線リソースの割り当て、データ及びＢＳＲの多重データの送信といった一連の処理が実行されることとなる。
【０１４５】
・「処理の流れ（その４）」
図１２は、上りリンクのリソース割り当て及びデータ送信の流れ（その４）を示す。
【０１４６】
図６では、移動局２は、ＳＲを送信するための上り制御チャネルを既に獲得していたが、ここでは、ＳＲの送信を行うための上り制御チャネルを獲得しておらず、ランダムアクセス信号の送信から実行する例について説明する。
【０１４７】
他の処理は、基本的にデータ送信の流れ（その１）と同様にすることができる。
【０１４８】
まず、移動局２の制御部３０は、ランダムアクセスチャネルで送信するランダムアクセス信号としてプリアンブルを生成し、送信処理部から送信させる。
【０１４９】
ランダムアクセスチャネルは、基地局１との間の通信を開始する際に送信する信号であり、例えば、他の移動局と共有するランダムアクセス信号の送信領域で送信される。
【０１５０】
この例では、ランダムアクセス信号は、基地局１０によって受信されたが、基地局１は、先に示した諸事情によりＢＳＲ（ＳＲ）の送信のための無線リソースの割り当てが困難であると判断し、所定の信号を送信する。
【０１５１】
移動局２の制御部３０は、所定の信号を受信するため、規制処理を実行する。
【０１５２】
この場合、規制の対象は、ランダムアクセス信号の送信、ＳＲＳの送信等とすることができる。
【０１５３】
規制の解除条件は、先に説明したいずれかを用いることもできる。但し、ＳＲの送信規制の解除に代えて、ランダムアクセス信号の送信規制の解除と読み替える。
【０１５４】
この例では、規制の解除条件が満たされることで、移動局２の制御部３０は、まず、ランダムアクセス信号を再度送信する。
【０１５５】
そして、今回は、基地局１の制御部１０は、ランダムアクセス信号を受信すると、無線リソースを移動局２に割り当てることができる状況（無線リソースの割り当て状況に余裕がある）かどうか確認し、割り当て可能であえれば、ＢＳＲ送信用の無線リソースを選択し選択した無線リソースの情報を移動局２に通知する。
【０１５６】
移動局２は、ＢＳＲ送信用の無線リソースの割り当てを受けるため、その無線リソースを用いてＢＳＲを送信し、更に、基地局１からデータ送信用の無線リソースの割り当てを受けることで、データの送信を行う。先の例のようにデータとＢＳＲを更に多重して送信することもできる。
【０１５７】
尚、この例では、ランダムアクセス信号の送信規制が解除されてからも、ＳＲＳの送信が行われていない。ＳＲＳは、ランダムアクセス信号に対して基地局１から応答があった後にＳＲＳの送信を開始している。
【０１５８】
ＳＲＳは、ＢＳＲの送信と独立してＢＳＲに先行して送信を開始し、所定の周期で、図７のＡの部分を用いて送信することもできるが（ＳＲＳを送信すべきスロット等は基地局１からランダムアクセス信号の応答信号（ＢＳＲ送信用無線リソースの割り当て含む）として指定される）、ここでは、ＢＳＲの送信と同時期に送信することとする。
【０１５９】
図９の点線で囲んだＤの部分でＳＲＳを送信するとともに、ＤＡＴＡで示した部分を１シンボル分短くする。ＢＳＲはＤＡＴＡで示した部分で送信する。ＡＣＫ／ＮＡＣＫ等の信号は送信しないか、又は、ＤＡＴＡ部分に時間多重し、ＳＲＳと重複しないようにしてもよい。
【０１６０】
また、この例では、基地局１は、ランダムアクセス信号に対して、ＢＳＲの送信用の無線リソースを移動局２に割り当てたが、図７のPUCCHｉを移動局２に割り当て、移動局２は、そのPUCCHｉを用いて、図６のように、まず、ＳＲを送信するようにすることもできる。
【０１６１】
尚、ランダムアクセス信号を送信したにも関わらず、基地局１から所定の信号が送信されなかった場合は（サイレントの場合）移動局２は、ランダムアクセス信号等の送信を規制せず、再度ランダムアクセス信号の送信を行えばよい。
【０１６２】
・「処理の流れ（その５）」
図１３は、上りリンクのリソース割り当て及びデータ送信の流れ（その５）を示す。
【０１６３】
これまでの例では、基地局１は、所定の信号を、ＳＲ、ＢＳＲ、ランダムアクセス信号の受信を契機として送信していたが、ここでは、基地局１は、所定の信号を報知信号として送信することとする。
【０１６４】
図１４は、下りリンクの送信に用いられるフレームの構成例（その２）を示す。
【０１６５】
このフレームは、送信に使用する周波数帯の中心部分で、スロットの境界部分を中心とする報知チャネルを設け、その上下にデータチャネルｉ、ｋ、ｊ、ｍ、同じ周波数帯にデータチャネルｌを設けている。制御チャネルは、データチャネルｉ、ｊ、ｋ、ｌ、ｍの送信周波数、伝送パラメータを特定可能な情報をそれぞれ含む。
【０１６６】
尚、報知チャネルは、基地局１が構成するセル内の移動局の複数（全体）に通知する情報を送信するチャネルであり、先のランダムアクセス信号を送信すべき無線リソース情報を送信することもできる。
【０１６７】
この例では、この報知情報に、所定の信号を含めることとする。
【０１６８】
即ち、基地局１の制御部１０は、所定の信号を生成し、報知情報の一部として多重部１３に与えることで、所定の信号を送信する。
【０１６９】
移動局２は、定期的に報知情報を受信することで、所定の信号を報知情報として受信すると、送信すべき上りパケットデータがあるにもかかわらず、ＳＲ（又はランダムアクセス信号）、ＳＲＳの送信を先に示したように規制する。
【０１７０】
それにより、複数の移動局に対して一斉に規制制御をかけることができる。尚、データ送信用又はＢＳＲ送信用の無線リソースを既に割り当てられている移動局は、所定の信号を受信しても規制制御を実行しないようにすることもできる。
【０１７１】
そして、報知情報の更なる受信（例えば、次の報知チャネル受信周期における受信）により、所定の信号を検出しないと、移動局２の制御部３０は、ＳＲＳの送信規制を解除するとともに、ＳＲの送信規制を解除し、ＳＲＳ、ＳＲをそれぞれ送信する。ここでは、ＳＲＳはＳＲとは別個に周期的に送信される。
【０１７２】
ＳＲを受信した基地局１は、ＳＲＳ等に基づいて割り当てる無線リソースの選択を行い、割り当てた無線リソースの情報を下り制御チャネルで送信する。
【０１７３】
従って、移動局２の制御部３０は、割り当てられた無線リソースの情報に従って、データを送信すべき周波数部分でデータを送信する。
【０１７４】
もちろん、図６に示したように、基地局１は、まず、ＢＳＲの送信用の無線リソースを割り当て、その後データの送信用の無線リソースを割り当てることとすることもできる。
【０１７５】
・「処理の流れ（その６）」
図１５は、上りリンクのリソース割り当て及びデータ送信の流れ（その６）を示す。
【０１７６】
ここでは、無線フレームにはシステムフレーム番号（SFN: System Frame Number）が付されており、報知情報は、定期的にフレーム番号を更新しつつ送信することで、移動局２が無線フレームの番号を特定できるようにしている。
【０１７７】
そして、基地局１の制御部１０は、所定の信号を送信する際に、所定のタイミング（例えば、ＳＦＮ１３が開始するタイミング）情報を併せて送信し、移動局２に対して、そのタイミングまで規制処理を行うように指示する。
【０１７８】
従って、移動局２は、所定の信号の受信により、送信すべき上りパケットが存在しても、ＳＲＳ、ＳＲの送信を規制する。
【０１７９】
そして、移動局２は、ＳＦＮ１３が送信される無線フレームのタイミングで再度報知情報チャネルの受信を実行する。尚、所定の信号後、ＳＦＮ１３が到来するまで、受信処理部の電源をオフとすることもできる。ただし、間欠受信等、別途受信が必要な場合は、その受信を行う。
【０１８０】
さて、移動局２は、ＳＦＮ１３の無線フレームを受信し、報知情報が、所定の信号を送信していないことを検出（無線リソースの割り当てがなされる可能性があることを検出）
すると、ＳＲＳ、ＳＲの送信規制を解除し、ＳＲＳの送信、ＳＲの送信を実行する。尚、ＳＲＳは、ＳＲと同時に送信してもよいが、ここでは、ＳＲＲを先に送信している。
【０１８１】
ＳＲを受信した基地局１は、ＳＲＳ等に基づいて割り当てる無線リソースの選択を行い、割り当てた無線リソースの情報を下り制御チャネルで送信する。
【０１８２】
従って、移動局２の制御部３０は、割り当てられた無線リソースの情報に従って、データを送信すべき周波数部分でデータを送信する。
【０１８３】
もちろん、図６に示したように、基地局１は、まず、ＢＳＲの送信用の無線リソースを割り当て、その後データの送信用の無線リソースを割り当てることとすることもできる。
【０１８４】
尚、データ送信用又はＢＳＲ送信用の無線リソースを既に割り当てられている移動局は、所定の信号を受信しても規制制御を実行しないようにすることもできる。
【０１８５】
以上説明した、各処理の流れ１〜６を任意の組み合わせて用いることもできる。
【符号の説明】
【０１８６】
１：無線通信装置（基地局）
２：無線通信装置（移動局）
１０：制御部
１１：データ処理部
１２：スケジューラ
１３：多重部
１４：シンボルマッピング部
１５：多重部
１６：ＩＦＦＴ処理部
１７：ＣＰ挿入部
１８：無線処理部
１９：ＤＵＰ（デュプレクサ）
２０：無線処理部
２１：ＣＰ削除部
２２：ＦＦＴ処理部
２３：等化処理部
２４：ＩＦＦＴ処理部
２５：復調部
２６：復号部
２７：チャネル品質測定部
３０：制御部
３１：データ処理部
３２：多重部
３３：シンボルマッピング部
３４：多重部
３５：ＦＦＴ処理部
３６：周波数マッピング部
３７：ＩＦＦＴ処理部
３８：ＣＰ挿入部
３９：無線処理部
４０：ＤＵＰ（デュプレクサ）
４１：無線処理部
４２：ＣＰ削除部
４３：ＦＦＴ処理部
４４：復調部
４５：復号部
【図１】
2014112931.tif 000003
【図２】
2014112931.tif 000004
【図３】
2014112931.tif 000005
【図４】
2014112931.tif 000006
【図５】
2014112931.tif 000007
【図６】
2014112931.tif 000008
【図７】
2014112931.tif 000009
【図８】
2014112931.tif 000010
【図９】
2014112931.tif 000011
【図１０】
2014112931.tif 000012
【図１１】
2014112931.tif 000013
【図１２】
2014112931.tif 000014
【図１３】
2014112931.tif 000015
【図１４】
2014112931.tif 000016
【図１５】
2014112931.tif 000017